(57)【要約】【課題】消しカスが発生しないように、容易に且つ綺麗にメモを消去でき、しかもメモ用具本体への書き心地性が低下しないように繰り返して使用できるメモ用具及びそれを用いたメモ帳を提供する。【解決手段】少なくとも表面部をエラストマーで構成した板状のメモ用具本体２と、メモ用具本体２に書き込んだメモＭを、拭き取り又は掻き取りにより消去する消去具３とを備え、メモ用具本体２を打ち抜くことにより形成される空間部８に、消去具３を着脱自在に嵌合保持させた。【選択図】図１
2011177988.tif 000002
【特許請求の範囲】
【請求項１】
少なくとも表面部をエラストマーで構成した板状のメモ用具本体と、
前記メモ用具本体に書き込んだメモを、拭き取り又は掻き取りにより消去する消去具と、
を備えたことを特徴とするメモ用具。
【請求項２】
前記メモ用具本体に空間部を形成し、該空間部に前記消去具を着脱自在に嵌合保持させた請求項１記載のメモ用具。
【請求項３】
前記メモ用具本体を打ち抜いて消去具を製作し、前記消去具の打ち抜きによりメモ用具本体に形成される空間部に、前記消去具を着脱自在に嵌合保持させた請求項１又は２記載のメモ用具。
【請求項４】
前記消去具としてメモ用具本体とは異なる色に着色したものを用いた請求項２記載のメモ用具。
【請求項５】
前記消去具に、指で保持可能な摘み部と、メモを消去するための突起状の消去部とを形成した請求項１〜４のいずれか１項記載のメモ用具。
【請求項６】
前記メモ用具本体を透明又は半透明に構成し、メモ用具本体の厚さ方向の途中部又はメモ用具本体の裏面側に、罫線を設けたシート体を積層状に設けた請求項１〜５のいずれか１項記載のメモ用具。
【請求項７】
請求項１〜５のいずれか１項記載のメモ用具と、前記メモ用具の表裏両面を覆うように配置した開閉可能な表表紙及び裏表紙とを備えたメモ帳。
【請求項８】
前記メモ用具本体を透明又は半透明に構成し、メモ用具本体の厚さ方向の途中部又はメモ用具本体の裏面側に、罫線を設けたシート体を積層状に設けた請求項７記載のメモ帳。
【請求項９】
前記メモ用具本体を透明又は半透明に構成し、前記裏表紙にメモ用具本体を透して視認可能な罫線を設けた請求項７記載のメモ帳。
【発明の詳細な説明】
【技術分野】
【０００１】
本発明は、メモ用具及びそれを用いたメモ帳に関する。
【背景技術】
【０００２】
メモ用紙として、紙などからなる基材シートの表面にシリコン樹脂を積層してなり、油性や水性のインキを用いた、マジックやボールペンなどの筆記用具によるメモ書きを、消しゴムで擦って消すことで、何度でも繰り返して使用可能となしたメモ用紙が提案されている（例えば、特許文献１参照。）。  
【先行技術文献】
【特許文献】
【０００３】
【特許文献１】特開平８−１６６６８１号公報
【発明の概要】
【発明が解決しようとする課題】
【０００４】
ところで、前記特許文献１記載のメモ用紙は、消しゴムで消すことで何度でも繰り返して使用できるので、森林資源の無駄使いを少なくする上で好ましいが、消しゴムで消したときに消しカスが発生するので、消しカスの清掃作業が必要になるとともに、微細な消しカスがメモ用紙の表面に付着して、メモ用紙の書き心地性が低下するという問題があった。また、消しゴムを別途用意する必要があり、通常のメモ帳のようにポケットに入れて持ち運ぶ場合には、消しゴムの忘れや紛失などの問題があり、消しゴムの管理が煩雑になるという問題があった。
【０００５】
本発明の目的は、消しカスが発生しないように、容易に且つ綺麗にメモを消去でき、しかもメモ用具本体への書き心地性が低下しないように繰り返して使用できるメモ用具及びそれを用いたメモ帳を提供することである。
【課題を解決するための手段】
【０００６】
本発明者は、繰り返して何度でも使用可能なメモ帳を開発すべく、多数の試作品を製作して、鋭意検討するなかで、メモ用紙として表面部をシリコーンゴムなどのエラストマーで構成したものを用いると、ボールペンやマジックでも滑らかに且つ綺麗にメモを書き込むことができ、しかもシリコーンゴムなどのエラストマーや布やフェルトやスポンジなどからなる消去具で擦ると、消しカスが発生しないように容易に且つ綺麗にメモを消去できることを見出し、本発明を完成するに至った。
【０００７】
本発明に係るメモ用具は、少なくとも表面部をエラストマーで構成した板状のメモ用具本体と、前記メモ用具本体に書き込んだメモを、拭き取り又は掻き取りにより消去する消去具とを備えたものである。
【０００８】
このメモ用具では、メモ用具本体のエラストマーからなる表面に、油性や水性のインキを用いたボールペンやマジックなどの筆記用具によりメモを書くので、ボールペンやマジックでも滑らかに且つ綺麗にメモを書き込むことができる。そして、メモを書き写すなどして、メモの記載内容が不要になったときには、消去具でメモを擦ることで、容易に且つ綺麗にメモを消去でき、メモ用具本体を何度でも繰り返して使用することができる。メモの消去は、消去具でメモを擦ることで、ボールペンやマジックの油性や水性のインキを消去具に拭き取ったり、消去具で掻き取ったりすることによりなされ、消去具が消耗しないので、消去具を半永久的に繰り返して使用できる。また、消去具から消しカスが発生しないので、微細な消しカスがメモ用具本体に付着するなどの問題を未然に防止して、メモ用具本体への書き心地性の低下を防止できる。しかも、メモ用具本体や消去具がインキで汚れたときには、ウェットティッシュや布でインキを拭いたり、メモ用具本体や消去具を洗浄したりすることで綺麗に除去できる。
【０００９】
前記メモ用具本体に空間部を形成し、該空間部に前記消去具を着脱自在に嵌合保持させることも好ましい実施の形態である。消去具は、紛失しないように紐やチェーン等でメモ用具本体に連結することも可能であるが、本発明のように、メモ用具本体に形成される空間部に着脱自在に嵌合保持させると、消去具の紛失を防止できるとともに、メモ用具の部品点数を少なくして、その製作コストを抑えることができ、しかも紐やチェーンなどの紐体や消去具により意匠性が低下することもないし、ポケット等に収納したときに、消去具が邪魔になることもない。また、メモ用具本体がゴム弾性を有するエラストマーで構成され、メモ用具本体の素材の弾性を利用して、消去具を空間部内に脱落しないように保持できるので、紛失しないようにメモ用具本体とともに管理できる。しかも、前述のように消去具はその使用によって消耗するものではないので、繰り返し使用してもメモ用具本体の空間部に確実に保持できる。
【００１０】
前記メモ用具本体を打ち抜いて消去具を製作し、前記消去具の打ち抜きによりメモ用具本体に形成される空間部に、前記消去具を着脱自在に嵌合保持させることも好ましい実施の形態である。消去具は、メモ用具本体とは別に製作することも可能であるが、メモ用具本体を打ち抜くことにより製作すると、安価に且つ効率的に製作できる。しかも、打ち抜きによりメモ用具本体に形成される空間部を活用して、メモ用具本体に消去具を着脱自在に嵌合保持できるので、消去具の管理が容易になる。また、前述のように消去具はその使用によって消耗するものではないので、繰り返し使用してもメモ用具本体の空間部に確実に保持できる。
【００１１】
前記消去具としてメモ用具本体とは異なる色に着色したものを用いることも好ましい実施の形態である。消去具はメモ用具本体と同色に構成することも可能であるが、消去具をメモ用具本体とは異なる色にすることで、空間部に嵌め込んだ状態で、消去具を識別し易くできるので好ましい。また、消去具を例えばハート形や星形などに形成することで、消去具をメモ用具本体のデザイン上のワンポイントとして利用できる。なお、色違いの複数種類のメモ用具本体を製作し、メモ用具本体を打ち抜いて製作した消去具を、色違いのメモ用紙本体の消去具と入れ替えて、空間部に嵌合保持させることで、無駄なく効率的に色違いの消去具及びメモ用具本体を製作できる。
【００１２】
前記消去具に、指で保持可能な摘み部と、メモを消去するための突起状の消去部とを形成することも好ましい実施の形態である。この場合には、消去具の操作性を向上できる。
【００１３】
前記メモ用具本体を透明又は半透明に構成し、メモ用具本体の厚さ方向の途中部又はメモ用具本体の裏面側に、罫線を設けたシート体を積層状に設けることも好ましい。このように構成すると、罫線に沿って綺麗にメモを取ることができる。
【００１４】
本発明に係るメモ帳は、前記メモ用具と、前記メモ用具の表裏両面を覆うように配置した開閉可能な表表紙及び裏表紙とを備えたものである。このメモ帳では、前記メモ用具を用いているので、前記と同様の作用効果が得られる。加えて、表表紙と裏表紙とによりメモ用具の表裏面を覆って、メモ用具が他物と接触することを防止できるので、他物との接触によりメモ内容がかすれてしまったり、消えてしまったりするという不具合を効果的に防止できる。なお、両表紙間にメモ用具を挟んだ状態で、表表紙又は裏表紙が浮かないように、消去具の厚さは、メモ用具本体の厚さと同じか或いはメモ用具本体の厚さよりも薄くすることが好ましい。
【００１５】
前記メモ用具本体を透明又は半透明に構成し、メモ用具本体の厚さ方向の途中部又はメモ用具本体の裏面側に、罫線を設けたシート体を積層状に設けることも好ましい実施の形態である。このように構成すると、罫線に沿って綺麗にメモを取ることができる。
【００１６】
前記メモ用具本体を透明又は半透明に構成し、前記裏表紙にメモ用具本体を透して視認可能な罫線を設けることも好ましい実施の形態である。この場合には、メモ用具本体を透して視認できる罫線に沿って、綺麗にメモを取ることができる。しかも、裏表紙に罫線を設けているので、メモ用具本体に対する加工が不要となり、メモ帳の製作コストを安くできる。しかも、表表紙の裏面は白紙なので、メモ用具本体を表表紙に重ね合わせてメモを取ることで、罫線のない白紙の面に絵柄などのメモを取ることができる。
【発明の効果】
【００１７】
本発明に係るメモ用具及びメモ帳によれば、メモ用具本体のエラストマーからなる表面に、油性や水性のインキを用いたボールペンやマジックなどの筆記用具によりメモを書くので、ボールペンやマジックでも滑らかに且つ綺麗にメモを書き込むことができる。そして、メモを書き写すなどして、メモの記載内容が不要になったときには、消去具でメモを擦ることで、容易に且つ綺麗にメモを消去でき、メモ用具本体を何度でも繰り返して使用することができる。メモの消去は、消去具でメモを擦ることで、ボールペンやマジックの油性や水性のインキを消去具に拭き取ったり、消去具で掻き取ったりすることによりなされ、消去具が消耗しないので、消去具を半永久的に繰り返して使用できる。また、消去具から消しカスが発生しないので、微細な消しカスがメモ用具本体に付着するなどの問題を未然に防止して、メモ用具本体への書き心地性の低下を防止できる。しかも、メモ用具本体や消去具がインキで汚れたときには、ウェットティッシュや布でインキを拭いたり、メモ用具本体や消去具を洗浄したりすることで綺麗に除去できる。
【図面の簡単な説明】
【００１８】
【図１】メモ帳の使用状態での斜視図
【図２】メモ帳のメモ用具本体を上側に回動させた状態での斜視図
【図３】メモ帳の使用状態での正面図
【図４】図３のIV-IV線断面図
【図５】他の構成のメモ帳の使用状態での斜視図
【図６】他の構成のメモ帳の使用状態での斜視図
【発明を実施するための形態】
【００１９】
以下、本発明の実施の形態について図面を参照しながら説明する。
図１〜図４に示すように、メモ帳１は、少なくとも表面部をエラストマーで構成した板状のメモ用具本体２と、メモ用具本体２に書き込んだメモＭを、拭き取り又は掻き取りにより消去する消去具３と、メモ用具本体２と消去具３とからなるメモ用具４の表裏両面を覆う表表紙５及び裏表紙６と、メモ用具本体２及び両表紙５、６をその上縁部において回動自在に連結する連結リング７とを備えている。
【００２０】
メモ用具本体２は、エラストマーからなる板状部材で構成されている。エラストマーとしては、天然ゴム、エピクロロヒドリンゴム、アクリルゴム、シリコーンゴム、フッ素ゴム、多硫化ゴム、ポリノルボルネンゴム、イソプレンゴム、スチレン−ブタジエンゴム、ブタジエンゴム、ブチルゴム等を使用できる。特に、シリコーンゴムは、ボールペンやマジックにより綺麗に且つ滑らかにメモを書き込むことができ、しかも付着したインキを容易に且つ綺麗に剥離できるので好ましい。
【００２１】
メモ用具本体２の正面寸法は、使用目的などに応じて任意に設定可能である。本実施の形態では、ブレザーやワイシャツなどの衣類のポケットに収容できるように、８５×６０ｍｍの大きさに設定しているが、卓上で使用するメモ帳の場合には、例えばＡ６サイズ（１４８×１０５ｍｍ）やＡ７サイズ（１０５×７４ｍｍ）など、少し大きめの寸法に設定することが好ましい。メモ用具本体２の厚さは、薄すぎると撓み易くなって書き込み難くなり、厚すぎると製作コストが高くなるとともに取扱性が低下するので、１ｍｍ〜１０ｍｍ、好ましくは３ｍｍ〜６ｍｍに設定することが好ましい。本実施の形態では、メモ用具本体２の厚さを５ｍｍに設定した。メモ用具本体２の正面形状は、図１〜図４に示すメモ用具本体２では長方形に形成したが、正方形状や五角形や六角形などの多角形状や、ハート形や丸形などの任意の形状に形成することも可能である。
【００２２】
メモ用具本体２は、透明或いは半透明のエラストマーで構成することが好ましいが、着色を施したエラストマーで構成することも可能であるし、不透明なエラストマーで構成することも可能である。また、エラストマーは、メモＭを書き込むために、メモ用具本体２の少なくとも表面部にのみ設けてあればよく、メモ用具本体２全体を必ずしもエラストマーで構成する必要はない。例えば、メモ用具本体２として、紙や布や合成樹脂材料などからなるシート体を、メモ用具本体２の厚さ方向の途中部や裏面側に積層したものを用いることも可能である。シート体を積層する場合には、該シート体として無地のものを採用することも可能であるし、罫線や方眼線などを印刷したシート体を用いることも可能である。また、合成樹脂板や金属板などの板状部材の表面にエラストマーを積層状に設けたものを採用することも可能である。
【００２３】
消去具３は、メモ用具本体２を打ち抜いて製作したもので、メモ用具本体２を打ち抜くことにより形成される空間部８に着脱自在に嵌合保持される。消去具３は、メモ用具本体２と別個に製作することも可能であるが、このようにメモ用具本体２を打ち抜いて製作することで、消去具３を安価に製作できるし、空間部８を有効活用して、メモ用具本体２の空間部８に消去具３を着脱自在に嵌合保持できるので好ましい。また、消去具３は、メモ用具本体２と同一色に構成することも可能であるし、メモ用具本体２とは異なる色で構成することも可能である。異なる色で構成する場合には、例えば色違いのメモ用具本体２を製作して、打ち抜いた消去具３を入れ替えて使用することもできる。消去具３は、メモＭを消去する消去部がエラストマーで構成されていれば、消去具３の全体をエラストマーで構成することも可能であるし、部分的にエラストマーで構成することも可能である。消去具３のエラストマーとしては、メモ用具本体２と同様のエラストマーを採用することができる。また、消去具３としては、エラストマー以外に、織布や不織布などの布体や、フェルトやスポンジなどからなる消去具や、スポンジなどのクッション材を織布や不織布などの布体で被覆した消去具や、これらの消去具を紙製や合成樹脂製の基材に接着剤などで固定した消去具などを採用することもできる。消去具３は、空間具８に嵌合保持させることが好ましいが、紐やチェーンなどの紐体でメモ用具本体２に連結することもできる。
【００２４】
消去具３の形状は、正方形や長方形や六角形などの多角形状、丸形や楕円形や星形やハート形、動物や植物を模した形状、骨やコーヒーカップなどの物品を模した形状など、任意の形状に形成することができる。特に、図１〜図３に示すハート形の消去具３のように、指で摘み易い摘み部３ａと、擦りつけ易い突起部３ｂを有する形状のものが好ましい。また、図５に示すメモ帳１Ａのように、骨形の消去具３Ａや、図６に示すメモ帳１Ｂのように、犬形の消去具３Ｂなどのように細長い形状の消去具も、指で保持し易いので好ましい。ただし、図５に示すメモ帳１Ａのように、消去具３Ａが骨形であれば、メモ用具本体１Ａの空間部８Ａも骨形に形成し、図６に示すメモ帳１Ｂのように、消去具３Ｂが犬形であれば、メモ用具本体１Ｂの空間部８Ｂも犬形に形成することになる。消去具３の厚さは、両表紙５、６を閉じた状態で、表表紙５又は裏表紙６が浮き上がらないように、メモ用具本体２の厚さと同じ或いはメモ用具本体２よりもやや薄肉に構成することが好ましい。
【００２５】
消去具３が嵌合する空間部８は、図１〜図３に示すように、メモ用具本体２の外縁よりも内側に形成することもできるし、図６に示すメモ用具本体２Ｂの空間部８Ｂのように、側縁に形成することも可能である。外縁よりも内側に形成する場合には、消去具３の外周面とメモ用具本体２の空間部８の内面間における摩擦抵抗により、消去具３をメモ用具本体２に対して脱落しないように保持できる。また、側縁に設ける場合には、消去具３Ｂに嵌合突部１０を形成し、メモ用具本体２に嵌合凹部１１を形成して、嵌合突部１０と嵌合凹部１１の凹凸嵌合部分における摩擦抵抗により、消去具３をメモ用具本体２に対して脱落しないように保持することになる。
【００２６】
なお、メモ用具本体２を薄肉に構成して、両表紙５、６間に複数枚のメモ用具本体２を配置して、両表紙５、６及び複数枚のメモ用具本体２を、連結リング７で回動自在に連結することも可能である。この場合には、メモ用具本体２を不透明に構成したり、メモ用具本体２の厚さ方向の途中部やメモ用具本体２の裏面側に、不透明な紙や合成樹脂材料からなるシート材を積層状に設けたりして、下側のメモ用具本体２に書き込んだメモＭが透視できないように構成することが好ましい。
【００２７】
両表紙５、６は、ポリエチレン、ポリプロピレン、ポリエチレンテレフタレート、ポリ塩化ビニル、ナイロンなどの合成樹脂材料や紙などのシート材で構成され、メモ用具本体２よりも一回り大きな寸法に形成されている。両表紙５、６の少なくとも内面側には、メモ用具本体２のエラストマーに密着しないように、シボ加工などにより表面に微細な凹凸が形成され、メモ用具本体２に対して表表紙５が密着して、メモ用具本体２の表面に書き込んだメモＭがかすれたり、消えたりしないように構成されている。裏表紙６のメモ用具本体２側の内側面には、メモ用具本体２を透して視認可能な罫線Ｌが印刷されている。ただし、この罫線Ｌは省略することも可能であるし、罫線Ｌに代えて方眼線などを印刷することも可能である。また、表表紙５のメモ用具本体２側の内側面に対しても、裏表紙６の内側面と同様に、罫線や方眼線などを印刷することが可能である。ただし、メモ用具本体２として不透明なものを用いる場合には、罫線Ｌや方眼線は省略することになる。消去具３に対応させて裏表紙６の内側面に、文字や絵柄を印刷し、消去具３を取り外したときに、空間部８を通じて該文字や絵柄を目視できるように構成することもできる。この場合には、空間部８を通じて目視できる該文字や絵柄により、面白みのある表示が可能となる。
【００２８】
連結リング７は、複数のリング部７ａが形成されるように、１本の被覆金属細線を成形してなる周知の構成のもので、メモ用具本体２及び両表紙５、６は、その上縁部に形成した複数の挿通孔９にリング部７ａをそれぞれ挿通させて、連結リング７を中心にして回動自在に連結されている。ただし、連結リング７としては、メモ用具本体２及び両表紙５、６を回動自在に連結できるものであれば、金属細線を螺旋状に成形したものや、挿通孔９に個別に挿通される複数のリング部材からなるものなど、他の構成のものを採用することも可能である。また、連結リング７に代えて、ステイプラーや接着剤で、メモ用具本体２及び両表紙５、６の上縁部を一体的に結合することも可能である。
【００２９】
このメモ帳１では、メモ用具本体２のエラストマーからなる表面に、油性や水性のインキを用いた汎用のボールペンやマジックなどの筆記用具によりメモＭを書くので、滑らかに且つ綺麗にメモを書き込むことができる。また、メモＭの内容が不要になったときには、消去具３をメモ用具本体２から取り外して、消去具３を不要部分に擦り付けることで、不要部分を容易に且つ綺麗に消去でき、メモ用具本体２を何度でも繰り返して使用することができる。また、メモＭの消去は、消去具３でメモＭを擦ることで、ボールペンやマジックの油性や水性のインキを消去具３で拭き取ったり、消去具３で掻き取ったりすることによりなされ、消去具３が消耗しないので、消去具３を半永久的に繰り返して使用できる。しかも、消去具３から消しカスが発生しないので、微細な消しカスがメモ用具本体２に付着するなどの問題を未然に防止して、メモ用具本体２への書き心地性の低下を防止できる。しかも、メモ用具本体２や消去具３がインキで汚れたときには、ウェットティッシュや布でインキを拭いたり、メモ用具本体２や消去具３を洗浄したりすることで綺麗に除去できる。更に、消去具３は、メモ用具本体２の空間部８に着脱自在に取付けられているので、メモ用具本体２とともに管理でき、しかも使用により消耗しないので、空間部８に対して確実に嵌合保持させることができ、消去具３の脱落による紛失を効果的に防止できる。
【００３０】
なお、本実施の形態では、メモ帳１に本発明を適用した場合について説明したが、両表紙５、６と連結リング７を省略し、メモ用具本体２と消去具３とをメモ用具４としてそのまま使用したり、メモ用具本体２と消去具３をメモ台に取り付けたり、ゲーム機やパソコン、冷蔵庫などの各種家電機器に取り付けて使用したりすることもできる。
【符号の説明】
【００３１】
Ｍ      メモ              Ｌ      罫線
１      メモ帳            ２      メモ用具本体
３      消去具            ３ａ    摘み部
３ｂ    突起部            ４      メモ用具
５      表表紙            ６      裏表紙
７      連結リング        ７ａ    リング部
８      空間部            ９      挿通孔
１０    嵌合突部          １１    嵌合凹部
１Ａ    メモ帳            ２Ａ    メモ用具本体
３Ａ    消去具            ８Ａ    空間部
１Ｂ    メモ帳            ２Ｂ    メモ用具本体
３Ｂ    消去具            ８Ｂ    空間部
【図１】
2011177988.tif 000003
【図２】
2011177988.tif 000004
【図３】
2011177988.tif 000005
【図４】
2011177988.tif 000006
【図５】
2011177988.tif 000007
【図６】
2011177988.tif 000008